(57)【要約】【課題】箱状の荷物類の梱包方法において、梱包作業及び搬送作業を円滑に行なえる梱包方法及びそれに使用する梱包用ベルトを提供する。【解決手段】梱包用ベルト（１０）は、梯子状に形成されたものを使用し、箱状の荷物類（６０）の外表面をクッションカバー７０で被包した後、箱状の荷物類の対角位置にあるコーナー部（６１，６２）及び（６３，６４）を繋ぎ、荷物類（６０）を縦方向に沿って対角線状に２分割する分割ラインに倣って荷物類（６０）の外表面を梯子状の梱包用ベルト（１０）で一回り掛け渡して締め付け固定する。従って、１本の梯子状の梱包用ベルト（１０）で梱包作業を完了させることができ、従来の締め付け用金具を不要とできる。また、分割ラインに沿って梱包用ベルト（１０）を配設するため、重心ズレがなく、荷物類の各コーナー部を強固に支持できるとともに、手掛かり部を多数設けることで円滑に搬送処理できる。【選択図】　図２
2004090960.tif 000002
【特許請求の範囲】
【請求項１】
箱状の荷物類の外表面をクッションカバーで被包した後、梱包用ベルトにより締着する荷物類の梱包方法において、
前記クッションカバーと一体、あるいは別体に設けられた梯子状の梱包用ベルトを使用し、箱状の荷物類を対角線状に縦方向に沿って２分割する分割ラインに倣って梱包用ベルトを掛け渡し、この梱包用ベルトを一回りさせて締め付け固定することにより、荷物類を締着するとともに、かつ梱包用ベルトに配設されている多数の連結片を荷物類搬送時の手掛かり部としたことを特徴とする荷物類の梱包方法。
【請求項２】
箱状の荷物類の外表面をクッションカバーにより被包した後、荷物類の対角位置にあるコーナー部間に掛け渡し、箱状の荷物類を対角線状に縦方向に沿って２分割する分割ラインに倣って荷物類の外表面を一回りさせて締着する梱包用ベルトであって、
この梱包用ベルトは、間隔をあけて平行に延びる一対のベルト条体と、このベルト条体の長手方向に沿って所定ピッチ間隔で双方のベルト条体間に橋渡し接合され、荷物類搬送時の手掛かり部となる連結片と、ベルト条体の一方端に設けた締め付け操作片とから構成され、この梱包用ベルトを箱状の荷物類の分割ラインに沿って掛け渡したとき、ベルト条体と連結片との間で画成される開口が荷物類のコーナー部に嵌まり込み、梱包用ベルトを締め付けた際、箱状の荷物類のコーナー部を連結片を介して強固に保持するようにしたことを特徴とする荷物類の梱包用ベルト。
【請求項３】
箱状の荷物類の外表面をクッションカバーにより被包した後、荷物類の対角位置にあるコーナー部同士に掛け渡し、荷物類を対角線状に縦方向に沿って２分割する分割ラインに倣って荷物類の外表面を一回りさせて締着する梱包用ベルトであって、
この梱包用ベルトは、幅広のベルト条体にその長手方向に沿って所定ピッチ間隔で開口を開設し、開口を荷物類搬送時の手掛かり部とするとともに、この梱包用ベルトを荷物類の分割ラインに沿って掛け渡したとき、開口内に荷物類のコーナー部が位置し、梱包用ベルトを締め付けた際、荷物類のコーナー部を強固に保持するようにしたことを特徴とする荷物類の梱包用ベルト。
【発明の詳細な説明】
【０００１】
【発明の属する技術分野】
この発明は、引越し時等、梱包が必要となる和洋タンス類や大型の電化製品等、箱状の荷物類の梱包方法及びそれに使用する梱包用ベルトに関し、特に、梱包作業が手際良く行なえ、しかも、搬送時の手掛かり部分が容易に得られ、搬送作業を円滑に行なえる箱状の荷物類の梱包方法及びそれに使用する梱包用ベルトに関する。
【０００２】
【従来の技術】
従来から引越し作業においては、和洋タンス類や冷蔵庫等の大型の電化製品等の箱状の荷物類を傷付けることなく手際良く搬送処理するために、これら箱状の荷物類をクッションカバーや当てぶとん等で梱包する梱包方法が行なわれている。従来の梱包方法は、図６に示すように、タンス等の箱状の荷物類１の外表面をクッションカバー２で覆い、その後、図７に示すように、箱状の荷物類１を縦方向２列の梱包用ベルト３ａ，３ｂにより締め付けるとともに、横方向２列の梱包用ベルト４ａ，４ｂにより締着することにより、箱状の荷物類１の梱包処理を行なっている（例えば、特許文献１参照）。
【０００３】
【特許文献１】
特開２００１−２４０１３７号公報（第２頁、第１０図，第１２図，第１３図）
【０００４】
【発明が解決しようとする課題】
このように、従来では、箱状の荷物類１を梱包する梱包用ベルト３，４は、搬送時に搬送者の手掛かり部分を確保するために、縦方向２列、横方向２列の梱包用ベルト３ａ，３ｂ，４ａ，４ｂを使用しているため、梱包作業に時間を費やし、更に、各梱包用ベルト３ａ，３ｂ，４ａ，４ｂには、締め付け用金具（図示せず）が設けられており、梱包用ベルト３ａ，３ｂ，４ａ，４ｂのコストも無視できないものであった。
【０００５】
更に、実際の搬送作業においては、住居の壁等を傷付けることがないように慎重に搬送する必要があり、特に、搬送する際の手掛かり部分の確保が難しく、とりわけ、階段等の傾斜部分で搬送する際には、手掛かり部分の確保が非常に難しく、不自然な搬送姿勢をとるため、壁等に当たり易く、搬送荷物類が損傷を受ける可能性があり、更に、搬送作業に手間取るという不具合が指摘されている。
【０００６】
この発明は、このような事情に鑑みてなされたもので、箱状の荷物類の梱包作業並びに搬送作業が手際良く行なえる箱状の荷物類の梱包方法及びそれに使用する梱包用ベルトを提供することを目的とする。
【０００７】
【課題を解決するための手段】
上記目的を達成するために、本発明は、箱状の荷物類の外表面をクッションカバーで被包した後、梱包用ベルトにより締着する荷物類の梱包方法において、前記クッションカバーと一体、あるいは別体に設けられた梯子状の梱包用ベルトを使用し、箱状の荷物類を対角線状に縦方向に沿って２分割する分割ラインに倣って梱包用ベルトを掛け渡し、この梱包用ベルトを一回りさせて締め付け固定することにより、荷物類を締着するとともに、かつ梱包用ベルトに配設されている多数の連結片を荷物類搬送時の手掛かり部としたことを特徴とする。
【０００８】
以上の構成から明らかなように、箱状の荷物類の外表面をクッションカバーにより被包した後、箱状の荷物類の対角位置にあるコーナー部を繋ぐように、また、箱状の荷物類を対角線状に縦方向に２分割する分割ラインに沿って梯子状の梱包用ベルトを荷物類の外表面に一回りさせて締め付ければ良い。よって、従来のように縦方向２列、横方向２列のように、複数の梱包用ベルトを締め付ける作業に比べ、箱状の荷物類の対角線状に沿う分割ラインに倣って１本の梯子状の梱包用ベルトを締め付ければ良いため、梱包作業を簡素化できる。
【０００９】
更に、梱包用ベルトは、梯子状であるため、各コーナー部の４方位からベルトが食い込むため、梱包用ベルトによる荷物類の保持強度が強化されるとともに、梯子状の梱包用ベルトの連結片が所定ピッチ間隔で分割ラインに沿って配設されるため、この連結片を手掛かり部とでき、持ち運びの便に優れる。
【００１０】
そして、本発明に係る梱包方法に使用する梱包用ベルトは、箱状の荷物類の外表面をクッションカバーにより被包した後、荷物類の対角位置にあるコーナー部間に掛け渡し、箱状の荷物類を対角線状に縦方向に沿って２分割する分割ラインに倣って荷物類の外表面を一回りさせて締着する梱包用ベルトであって、この梱包用ベルトは、間隔をあけて平行に延びる一対のベルト条体と、このベルト条体の長手方向に沿って所定ピッチ間隔で双方のベルト条体間に橋渡し接合され、荷物類搬送時の手掛かり部となる連結片と、ベルト条体の一方端に設けた締め付け操作片とから構成され、この梱包用ベルトを箱状の荷物類の分割ラインに沿って掛け渡したとき、ベルト条体と連結片との間で画成される開口が荷物類のコーナー部に嵌まり込み、梱包用ベルトを締め付けた際、箱状の荷物類のコーナー部を連結片を介して強固に保持するようにしたことを特徴とする。
【００１１】
この梱包用ベルトで箱状の荷物類を梱包する際には、箱状の荷物類の対角位置にあるコーナー部を含み縦方向に荷物類を対角線状に２分割する分割ラインに沿って梱包用ベルトを一回りさせて、一方端に設けた締め付け操作片を他方端のループ内に挿入して引き込めば、別途締め付け用金具を不要とでき、２条のベルト条体と連結片とを縫製等で接合することにより、廉価に梱包用ベルトを提供できる。
【００１２】
また、別の実施態様としては、幅広のベルト条体に所定ピッチ間隔で開口を打ち抜いて梯子状の梱包用ベルトを形成するようにしても良い。そして、開口打ち抜きタイプの梱包用ベルトは、製造が簡単かつ廉価に実施できる。
【００１３】
【発明の実施の形態】
以下、本発明に係る箱状の荷物類の梱包方法及びそれに使用する梱包用ベルトの好適な実施の形態について、添付図面を参照しながら詳細に説明する。
【００１４】
図１は本発明方法に使用する梱包用ベルトの一実施形態を示す平面図、図２は同梱包用ベルトを使用した箱状の荷物類の梱包状態を示す外観図、図３，図４は本発明方法による梱包方法を示す各説明図、図５は本発明に係る梱包用ベルトの別実施形態を示す平面図である。
【００１５】
まず、本発明に使用する梱包用ベルトの第１実施形態について、図１を基に説明する。図面において、梱包用ベルト１０は、形状的には梯子状に形成されており、左右一対のベルト条体２０，２０の長手方向に沿って連結片３０が所定ピッチ間隔で縫製されることにより、両側のベルト条体２０と連結片３０間に画成される複数の開口４０が梱包用ベルト１０の長手方向に沿って形成されている。更に、梱包用ベルト１０の一方端には、両側のベルト条体２０の一方側のみを延長した締め付け操作片５０が設けられている。
【００１６】
更に詳しくは、ベルト条体２０及び連結片３０の幅は約４．０ｃｍで、開口は約３０ｃｍ角の略正方形状となるように連結片３０の長さ寸法及びピッチ間隔がそれぞれ約３０ｃｍに設定され、この梱包用ベルト１０の全体の長さは５〜６ｍである。
【００１７】
このベルト条体２０及び連結片３０は、それぞれポリプロピレン繊維糸の編体から構成され、強固な剛性を維持しており、連結片３０は、剛性糸による縫製加工によりベルト条体２０に接合固定されている。
【００１８】
図２は、上記梱包用ベルト１０により箱状の荷物類６０が梱包された状態が示されている。すなわち、引越し時等、箱状の荷物類６０をクッションカバー７０でその外表面を被包し、更にその外表面を梱包用ベルト１０で締め付けることにより梱包する。
【００１９】
そして、図２から明らかなように、箱状の荷物類６０は、この１本の梱包用ベルト１０で梱包作業が完了するため、従来のように縦方向２列、横方向２列の計４列の梱包用ベルトで梱包する梱包作業に比べ、ベルトの本数を大幅に低減でき、しかも、締め付け用金具を不要としたため、梱包作業は梱包用ベルト１０の締め付け操作片５０を他方端のループ５１内に通した後、引き寄せて締め付けるだけの簡単な作業で完了するため、梱包作業を大幅に簡素化できるとともに、梱包用ベルト１０の製作コストも少なくて済む。
【００２０】
更に、本発明に係る梱包用ベルト１０は、両側のベルト条体２０間を橋渡しするように、長手方向に沿って所定ピッチ間隔で連結片３０が配設されているため、この連結片３０が箱状の荷物類６０の分割ラインに沿って複数箇所に位置することになり、箱状の荷物類６０における手掛かり部を任意箇所に簡単に確保できる。加えて、特に、梱包用ベルト１０は、箱状の荷物類６０を対角線状でかつ縦方向に２分割する分割ラインに沿って掛け渡されるため、通常、２分割ライン面に重心があることから、搬送時に前後、左右にグラつくことがなく、搬送作業を円滑に行なえる理由の一つとなっている。
【００２１】
次に、図３，図４に基づいて、上記梱包用ベルト１０を使用した箱状の荷物類６０の梱包方法について説明する。
【００２２】
まず、図３に示すように、箱状の荷物類６０の外表面をクッションカバー７０で被包した後、箱状の荷物類６０における底面６０ａの対角位置にあるコーナー部６１，６２を結ぶラインに沿って梱包用ベルト１０が位置するように、梱包用ベルト１０上に箱状の荷物類６０を載置する。このとき、コーナー部６１，６２が梱包用ベルト１０の開口４０内に位置するように位置調整を行なう。
【００２３】
次いで、箱状の荷物類６０の上面６０ｂの対角位置にあるコーナー部６３，６４と底面６０ａの対角位置にあるコーナー部６１，６２を結ぶ稜線６０ｃ，６０ｄに沿って梱包用ベルト１０を沿わせて、箱状の荷物類６０における上面６０ｂの対角位置にあるコーナー部６３，６４を結ぶように、図４に示すように、梱包用ベルト１０を一回りさせ、一方端にある締め付け操作片５０を他方端にあるループ５１内に差し込んだ後、引き寄せて締め付け、図２に示すように、箱状の荷物類６０の梱包作業を完了させる。このとき、箱状の荷物類６０の上面６０ｂにおける対角位置にあるコーナー部６３，６４においても、開口４０内に位置するように調整する。
【００２４】
すなわち、箱状の荷物類６０における対角位置にあるコーナー部６１，６２及び６３，６４を結ぶように、箱状の荷物類６０を縦方向に沿って対角線状に２分割する分割ラインに倣って梱包用ベルト１０を一回りさせることで梱包作業が完了するのである。
【００２５】
従って、従来の複数の梱包用ベルトを締着する作業に比べ、１本の梱包用ベルト１０を分割ラインに沿って各コーナー部６１，６２，６３，６４を渡すように掛け渡して、締め付けるだけの簡単な作業で梱包作業が終わり、作業性が著しく向上するとともに、梱包用ベルト１０を締め付ければ、箱状の荷物類６０のコーナー部６１，６２，６３，６４周りに開口４０縁部のベルト条体２０、連結片３０からの締め付け力が作用し、強固な保持力が得られる。更に、従来の締め付け用金具を廃止でき、ベルトの本数も低減できるため、簡単かつ廉価な梱包構造を提供できる。
【００２６】
更に、箱状の荷物類６０の２分割ラインに沿って梱包用ベルト１０が締め付けられているため、搬送作業時、重心ズレにより荷物類が前後、左右方向にグラつくことがなく、加えて、梱包用ベルト１０は複数の連結片３０が一定ピッチ間隔で多数配設されているため、この連結片３０を手掛かり部として利用すれば円滑な梱包作業が期待できる。
【００２７】
次いで、図５は本発明に係る梱包用ベルトの変形例を示すもので、この梱包用ベルト１００は、幅広ベルト条体１１０の中央に一定のピッチ間隔で開口１２０を打ち抜き形成したもので、打ち抜き加工により製作でき、図１に示す縫製加工の梱包用ベルト１０に比べ、製作コストを低減できる。そして、この梱包用ベルト１００は、この幅広ベルト条体１１０の一方端には、細幅の締め付け操作片１３０が形成されているとともに、他方端にはループ１４０が設けられている。
【００２８】
この打ち抜き加工により製作された梱包用ベルト１００についても、この開口１２０が箱状の荷物類６０の各コーナー部６１，６２，６３，６４に嵌まり込むように対角状に梱包作業を行なえば、第１実施形態の梱包用ベルト１０と同様、簡単かつ円滑に搬送作業を行なうことができる。
【００２９】
また、図示はしないが、梱包用ベルト１０をクッションカバー７０に予め一体化するようにしても良く、そうした場合、梱包作業が更にやり易くなるとともに、梱包用ベルト１０とクッションカバー７０とを個別に管理する必要がなく、管理が容易に行なえるという利点がある。
【００３０】
【発明の効果】
以上説明した通り、本発明に係る箱状の荷物類の梱包方法は、梯子状に形成された梱包用ベルトを箱状の荷物類の対角位置にあるコーナー部を含む箱状の荷物類を縦方向に沿って対角線状に２分割する分割ラインに倣って梱包用ベルトを一回りさせて梱包処理するというものであるから、従来、縦方向及び横方向に複数列の梱包用ベルトを締着するという梱包構造に比べ、１本の梯子状の梱包用ベルトを締着するだけで済むため、梱包作業を簡素化できるとともに、従来の締め付け用金具も不要とできるため、簡単かつ廉価に梱包作業を完了させることができるという効果を有する。
【００３１】
更に、本発明に係る箱状の荷物類の梱包方法は、箱状の荷物類の対角位置にあるコーナー部を含む縦方向に沿って対角線状に２分割する分割ラインに倣って梯子状の梱包用ベルトを締着するという構成であるため、手掛かり部が多数箇所に設けられ、手際良く搬送が行なえるとともに、重心位置がバラつくことがないため、搬送作業も円滑に行なえるという効果を有する。
【００３２】
また、本発明に係る梱包用ベルトは、締め付け用金具が廃止でき、廉価に製作できるとともに、梯子状に形成されているため、箱状の荷物類の分割ラインに沿って一回り締着させれば、箱状の荷物類のコーナー部が梱包用ベルトの開口内に位置し、梱包用ベルトを締め付ければ、締め付け強度に応じて各コーナー部を全方位側から各ベルト条体及び連結片がコーナー部に食い込むため、梱包用ベルトの締着強度を強化できるという効果を有する。
【図面の簡単な説明】
【図１】本発明に係る箱状の荷物類の梱包方法に使用する梱包用ベルトの第１実施形態を示す平面図である。
【図２】本発明に係る箱状の荷物類の梱包方法の一実施形態を示す斜視図である。
【図３】本発明に係る箱状の荷物類の梱包方法の作業手順を示す説明図である。
【図４】本発明に係る箱状の荷物類の梱包方法の作業手順を示す説明図である。
【図５】本発明に係る箱状の荷物類の梱包方法に使用する梱包用ベルトの第２実施形態の構成を示す平面図である。
【図６】従来の箱状の荷物類の梱包方法におけるクッションカバーの被覆作業を示す説明図である。
【図７】従来の箱状の荷物類の梱包方法における梱包用ベルトの締め付け完了時の状態を示す説明図である。
【符号の説明】
１０　梱包用ベルト
２０　ベルト条体
３０　連結片
４０　開口
５０　締め付け操作片
５１　ループ
６０　箱状の荷物類
６０ａ　底面
６０ｂ　上面
６０ｃ，６０ｄ　稜線
６１，６２，６３，６４　コーナー部
７０　クッションカバー
１００　梱包用ベルト
１１０　幅広ベルト条体
１２０　開口
１３０　締め付け操作片
１４０　ループ
【図１】
2004090960.tif 000003
【図２】
2004090960.tif 000004
【図３】
2004090960.tif 000005
【図４】
2004090960.tif 000006
【図５】
2004090960.tif 000007
【図６】
2004090960.tif 000008
【図７】
2004090960.tif 000009